(57)【要約】      （修正有）【課題】構造が簡単化され、作製コストが減少し、組立工数が低減される脱水装置を提供する。【解決手段】水槽５と、脱水回転盤６と、伝動手段７と、力加え子８と、を含む脱水装置において、水槽は、その内部に収容空間が設けられ、収容空間に仕切板５２が設けられ、仕切板により収容空間の一側に独立な組付空間が形成され、脱水回転盤には、複数の排水穴６１が設けられ、伝動手段は、台座７１を有し、水槽の組付空間に組み付けられ、台座の両側にアーム７１１がそれぞれ設けられ、アームの上端に力加え子が枢着され、台座のアームのうちの一つには、内側に突出する固定部が設けられ、固定部は、その側辺に横シャフトが設けられ、その底面に縦シャフトが設けられ、力加え子は、力加え部８１を有し、水槽の組付空間に設けられ、力加え部は、その軸７２により伝動手段の台座に弾性的に回復可能に枢着される。【選択図】図３
0003156871.tif 000002
【実用新案登録請求の範囲】
【請求項１】
水槽と、脱水回転盤と、伝動手段と、力加え子と、を含む脱水装置において、
前記水槽は、その内部に収容空間が設けられ、前記収容空間に仕切板が設けられ、前記仕切板により前記収容空間の一側に独立な組付空間が形成され、
前記脱水回転盤には、複数の排水穴が設けられ、
前記伝動手段は、台座を有し、前記水槽の前記組付空間に組み付けられ、前記台座の両側にアームがそれぞれ設けられ、前記アームの上端に前記力加え子が枢着され、前記台座の前記アームのうちの一つには、内側に突出する固定部が設けられ、前記固定部は、その側辺に横シャフトが設けられ、その底面に縦シャフトが設けられ、前記横シャフトに第１伝動ギアユニットが組み付けられ、前記縦シャフトに第２伝動ギアユニットが組み付けられ、前記第１伝動ギアユニットは、前記第２伝動ギアユニットと噛合い前記第２伝動ギアユニットを伝動可能であり、前記第２伝動ギアユニットが一方向爪車と噛合い、前記一方向爪車の軸心にシャフトが設けられ、前記シャフトの上端に前記脱水回転盤が設けられ、
前記力加え子は、力加え部を有し、前記水槽の前記組付空間に設けられ、前記力加え部は、その軸により前記伝動手段の前記台座に弾性的に回復可能に枢着され、前記力加え部の一側に端面が設けられ、前記端面には、前記第１伝動ギアユニットと噛合う円弧形状ギア段が設けられることを特徴とする脱水装置。
【請求項２】
前記台座の両側にアームがそれぞれ設けられ、前記アームの上端に力加え子が枢着され、前記力加え子は、更に、弾性体を含み、前記弾性体の両端は、それぞれ前記アームと前記力加え部とに固定されることを特徴とする、請求項１に記載の脱水装置。
【請求項３】
前記第１伝動ギアユニットは、第１傘歯車部と、第１ギア部と、を含み、前記第２伝動ギアユニットは、第２傘歯車部と、第２ギア部と、を含み、前記第１傘歯車部が前記第２傘歯車部と噛合うことを特徴とする、請求項２に記載の脱水装置。
【考案の詳細な説明】
【技術分野】
【０００１】
本考案は、脱水装置に関し、特に、水槽内に回転可能な脱水回転盤を設けることにより、脱水回転盤に含水したもの（被脱水物）を置いて前記脱水回転盤を回転すると、前記脱水回転盤の遠心力により脱水することができる脱水装置に関するものである。
【背景技術】
【０００２】
野菜および米は、人体の必要な栄養成分を提供するので、人類の主な食べ物になる。野菜および米は、農地に植えられるときに農薬が振りかけられ、又は加工の際にゴミが付着し易いので、農薬残留および汚染の可能性がある。このため、野菜および米を食べる前に、水で洗浄する必要がある。しかし、水で洗浄しただけの野菜および米は、その表面に付着する水分を完全に除去することができないので、腐り易い問題があった。
【０００３】
また、暮らしの環境を清潔にするために、箒で床面を掃除して、湿った雑巾またはモップで床面を拭くことが一般である。湿った雑巾で床面を拭く方法を採用する場合には、双足を跪くことが必要であるので、膝が怪我し易く、清潔をする者にとって、大変な苦労である。
この問題を解決するために、湿ったモップで床面を拭く方法が採用されている。この方法を採用する場合には、双足を跪く必要がなくなり、床面を清潔する作業が楽になるが、モップに吸収された余計な水分を除去することが困難である。
【０００４】
上記の問題を解決するために、図1及び図2に示す脱水装置が提案された。このような脱水装置は、プッシャユニット４と、伝動ユニット３と、回転ユニット２と、を含む。前記回転ユニット２は、受け子２１と、伝動軸２２と、を含む。前記受け子２１に含水したものが置いて、前記プッシャユニット４を操作することにより、前記伝動ユニット３が前記プッシャユニット４に駆動されて、前記伝動ユニット３が前記回転ユニット２を回転し、これにより、含水したものを脱水することができる。
前記伝動ユニット３は、ラック３１と、第１ギア３２と、第２ギア３３と、一方向ギア３４と、を含み、前記ラック３１が前記第１ギア３２と噛合い、前記第１ギア３２が前記第２ギア３３と同軸し、前記一方向ギア３４は、前記伝動軸２２と同軸し、前記第２ギア３３と噛合う。
【０００５】
このような脱水装置によれば、構造が複雑であり、作製コストが増し、組立に多くの工数が掛かるといった欠点があった。
【考案の概要】
【考案が解決しようとする課題】
【０００６】
本考案の主な目的は、構造が簡単化され、作製コストが減少し、組立工数が低減される脱水装置を提供することにある。
【課題を解決するための手段】
【０００７】
本考案の脱水装置によると、水槽と、脱水回転盤と、伝動手段と、力加え子と、を含む脱水装置において、
前記水槽は、その内部に収容空間が設けられ、前記収容空間に仕切板が設けられ、前記仕切板により前記収容空間の一側に独立な組付空間が形成され、
前記脱水回転盤には、複数の排水穴が設けられ、
前記伝動手段は、台座を有し、前記水槽の前記組付空間に組み付けられ、前記台座の両側にアームがそれぞれ設けられ、前記アームの上端に前記力加え子が枢着され、前記台座の前記アームのうちの一つには、内側に突出する固定部が設けられ、前記固定部は、その側辺に横シャフトが設けられ、その底面に縦シャフトが設けられ、前記横シャフトに第１伝動ギアユニットが組み付けられ、前記縦シャフトに第２伝動ギアユニットが組み付けられ、前記第１伝動ギアユニットは、前記第２伝動ギアユニットと噛合い前記第２伝動ギアユニットを伝動可能であり、前記第２伝動ギアユニットが一方向爪車と噛合い、前記一方向爪車の軸心にシャフトが設けられ、前記シャフトの上端に前記脱水回転盤が設けられ、
前記力加え子は、力加え部を有し、前記水槽の前記組付空間に設けられ、前記力加え部は、その軸により前記伝動手段の前記台座に弾性的に回復可能に枢着され、前記力加え部の一側に端面が設けられ、前記端面には、前記第１伝動ギアユニットと噛合う円弧形状ギア段が設けられることを特徴とする。
【０００８】
本考案の脱水装置によると、前記台座の両側にアームがそれぞれ設けられ、前記アームの上端に力加え子が枢着され、前記力加え子は、更に、弾性体を含み、前記弾性体の両端は、それぞれ前記アームと前記力加え部とに固定されることを特徴とする。
【０００９】
本考案の脱水装置によると、前記第１伝動ギアユニットは、第１傘歯車部と、第１ギア部と、を含み、前記第２伝動ギアユニットは、第２傘歯車部と、第２ギア部と、を含み、前記第１傘歯車部が前記第２傘歯車部と噛合うことを特徴とする。
【考案の効果】
【００１０】
本考案の脱水装置によれば、構造が簡単化され、作製コストが減少し、組立工数が低減されるという効果を有する。
【図面の簡単な説明】
【００１１】
【図１】従来の脱水装置の組合状態の側面図である。
【図２】従来の脱水装置の一部の分解斜視図である。
【図３】本考案の一実施形態の脱水装置の組合状態の側面図である。
【図４】本考案の一実施形態の脱水装置の伝動手段と力加え子の分解斜視図である。
【図５】本考案の一実施形態の脱水装置の伝動手段と力加え子の組合状態の側面図である。
【図６】本考案の一実施形態の脱水装置の伝動手段と力加え子の組合状態の側面図である。
【図７】本考案の一実施形態の脱水装置の伝動手段と力加え子の組合状態の正面図である。
【図８】本考案の一実施形態の脱水装置の力加え子に力を加える状態の模式図である。
【考案を実施するための形態】
【００１２】
以下、本考案の実施の形態を図面に基づいて説明する。
まず、図３から図８を参照する。本考案の一実施形態の脱水装置は、水槽５と、脱水回転盤６と、伝動手段７と、力加え子８と、を含む。
【００１３】
前記水槽５は、その内部に収容空間５１が設けられる。前記収容空間５１には仕切板５２が設けられ、前記仕切板５２により前記収容空間５１の一側に独立な組付空間５３が形成される。
前記脱水回転盤６は、深く凹んだ円盤であり、複数の排水穴６１を有する。
【００１４】
前記伝動手段７は、台座７１を有し、前記水槽５の前記組付空間５３に組み付けられ、前記台座７１の両側にアーム７１１がそれぞれ設けられ、前記アーム７１１の上端にある軸７２に前記力加え子８が枢着され、前記軸７２に弾性体７３が設けられ、前記弾性体７３の両端は、それぞれ前記アーム７１１と前記力加え子８とに固定される。
これにより、力が加えられた前記力加え子８は本来の位置に自動的に戻ることができる。
前記アーム７１１のうちの一つには、内側に突出する固定部７４が設けられる。前記固定部７４は、その側辺に横シャフト７４１が設けられ、その底面に縦シャフト７４２が設けられる。前記横シャフト７４１に第１伝動ギアユニット７５が組み付けられる。
前記第１伝動ギアユニット７５は、第１傘歯車部７５１と、第１ギア部７５２と、を含む。前記縦シャフト７４２に第２伝動ギアユニット７６が組み付けられる。
前記第２伝動ギアユニット７６は、第２傘歯車部７６１と、第２ギア部７６２と、を含む。前記第１傘歯車部７５１が前記第２傘歯車部７６１と噛合い、前記第２伝動ギアユニット７６２が一方向爪車７７と噛合い、前記一方向爪車７７の軸心にシャフト７８が設けられ、前記シャフト７８の上端に前記脱水回転盤６が設けられる。
【００１５】
前記力加え子８は、力加え部８１を有し、前記水槽５の前記組付空間５８に設けられる。前記力加え部８１の一側に端面８２が設けられる。前記端面８２には、前記第１伝動ギアユニット７５の前記第１ギア部７５２と噛合う円弧形状ギア段８３が設けられる。
【００１６】
含水したものを脱水したいときには、前記脱水回転盤６に含水したものを置いて、前記力加え子８の前記力加え部８１に力を加える。前記力加え部８１が押下げられているときに、前記円弧形状ギア段８３が前記第１伝動ギアユニット７５の前記第１ギア部７５２と噛合い、前記第１ギア部７５２が前記第１傘歯車部７５１と同軸し、前記第１傘歯車部７５１が前記第２伝動ギアユニット７６の前記第２傘歯車部７６１と噛合い、これにより、動力が前記第２伝動ギアユニット７６に伝えられる。
前記第２伝動ギアユニット７６の前記第２ギア部７６２が前記第２傘歯車部７６１と同軸し、且つ前記第２ギア部７６２が前記一方向爪車７７と噛合い、これにより、動力が前記一方向爪車７７に伝えられる。
前記一方向爪車７７に設けられたシャフト７８により前記脱水回転盤６が回転して遠心力を発生し、この遠心力により含水したものを脱水することができる。上記の含水したものは、野菜でもいいし、米でもいいし、モップでもいいし、雑巾でもよい。
【００１７】
前記力加え子８の前記力加え部８１に力を加えないときには、弾性体７３の弾力により前記力加え子８が本来の位置に戻る。
前記力加え子８が本来の位置に戻っているときには、前記円弧形状ギア段８３が前記第１ギア部７５２と噛合うので、前記第１伝動ギアユニット７５が回転し、前記第１ギア部７５２と同軸し連接する前記第１傘歯車部７５１が前記第２傘歯車部７６１と噛合うので、前記第２伝動ギアユニット７６が駆動されて回転し、前記第２伝動ギアユニット７６が前記第２ギア部７６２を介して前記一方向爪車７７を回転する。
前記一方向爪車７７は、一方向だけに回転可能であるので、このとき、空回りになり、前記シャフト７８を回転することができず、これにより、前記シャフト７８と、前記シャフト７８と連接する前記脱水回転盤６と、を一方向だけに回転できることを確保することができる。
【産業上の利用可能性】
【００１８】
本考案は、脱水装置に適用することができる。
【符号の説明】
【００１９】
２：回転ユニット              ３：伝動ユニット
４：プッシャユニット          ５：水槽
６：脱水回転盤                ７：伝動手段
８：力加え子                ２１：受け子
２２：伝動軸                  ３１：ラック
３２：第１ギア                ３３：第２ギア
３４：一方向ギア              ５１：収容空間
５２：仕切板                  ５３：組付空間
６１：排水穴                  ７１：台座
７２：軸                      ７３：弾性体
７４：固定部                  ７５：第１伝動ギアユニット
７６：第２伝動ギアユニット    ７７：一方向爪車
７８：シャフト                ８１：力加え部
８２：端面                    ８３：円弧形状ギア段
７１１：アーム              ７４１：横シャフト
７４２：縦シャフト          ７５１：第１傘歯車部
７５２：第１ギア部          ７６１：第２傘歯車部
７６２：第２ギア部。
【図１】
0003156871.tif 000003
【図２】
0003156871.tif 000004
【図３】
0003156871.tif 000005
【図４】
0003156871.tif 000006
【図５】
0003156871.tif 000007
【図６】
0003156871.tif 000008
【図７】
0003156871.tif 000009
【図８】
0003156871.tif 000010